(57)【要約】【課題】  コンパクト化して安価に製造可能な点吊り装置と、その点吊り装置への電力や制御信号の供給が容易にできる制御装置とを備えた点吊り装置制御構造を提供する。【解決手段】  舞台天井３上面の任意の位置へ移動可能とした点吊り装置１と、この点吊り装置１に対して電力及び制御信号の供給を行なう制御装置４０とから構成された点吊り装置制御構造であって、上記点吊り装置１は、吊りワイヤ８が巻き回された巻取りドラム５と、この巻取りドラム５を駆動させる電動モータ９とを備える一方、上記制御装置４０は、舞台天井３上方に配置した長尺状の案内部材４１と、この案内部材４１に沿って移動可能に連結されると共に、上記点吊り装置１への電力及び制御信号を供給する制御ケーブル４２を備えるか又は接続可能とした複数の制御部材４３と、隣り合った制御部材４３に接続されてこれら制御部材４３へ電力を供給する給電ケーブル４４とを備えた。【選択図】  図１
2008206906.tif 000002
【特許請求の範囲】
【請求項１】
舞台天井上面の任意の位置へ移動可能とした点吊り装置と、この点吊り装置に対して電力及び制御信号の供給を行なう制御装置とから構成された点吊り装置制御構造であって、上記点吊り装置は、吊りワイヤが巻き回された巻取りドラムと、この巻取りドラムを駆動させる電動モータとを備える一方、上記制御装置は、舞台天井上方に配置した長尺状の案内部材と、この案内部材に沿って移動可能に連結されると共に、上記点吊り装置への電力及び制御信号を供給する制御ケーブルを備えるか又は接続可能とした複数の制御部材と、隣り合った制御部材に接続されてこれら制御部材へ電力を供給する給電ケーブルとを備えたことを特徴とする点吊り装置制御構造。
【請求項２】
上記制御部材は箱状に形成されると共に、その正面には、上記点吊り装置の巻取りドラムに巻き回された吊りワイヤの舞台床面側への繰り出し又は巻き取りを制御するために上記電動モータにモータ制御信号を出力する制御コントローラの接続口を備えている請求項１記載の点吊り装置制御構造。
【請求項３】
上記制御部材の正面には上記給電ケーブルからの電力及び上記制御コントローラからの制御信号の点吊り装置への投入又は遮断を行なうスイッチを備えている請求項２記載の点吊り装置制御構造。
【請求項４】
上記案内部材は舞台天井上方の建物天井から吊り下げ支持されたレール部材であって、このレール部材に上記制御部材が移動可能に吊り下げ支持されている請求項１記載の点吊り装置制御構造。
【請求項５】
上記給電ケーブルはその中間部が上記案内部材に沿って移動可能に連結されている請求項１記載の点吊り装置制御構造。
【請求項６】
上記点吊り装置は、舞台天井上面を走行するための走行部材を底部に備えた箱状の本体と、この本体内に配置した巻取りドラムと、上記本体に対して基端部を回動可能に軸支した腕部とを備え、上記巻取りドラムに巻き回された吊りワイヤが、この巻取りドラムを駆動させる電動モータによって上記腕部を介して舞台床面側へ繰り出され又は巻き取られるようにした請求項１記載の点吊り装置制御構造。
【請求項７】
上記走行部材はキャスターであって、本体の底面に所定間隔をおいて複数個設けられると共に、その車輪の巾が舞台天井面を構成する簀の子の溝巾よりも大きく設定されている請求項６記載の点吊り装置制御構造。
【請求項８】
上記腕部及び本体後面には夫々前側固定部材及び後側固定部材が設けられ、これら固定部材の作動により点吊り装置を上記舞台天井面に対して位置決め固定する請求項６記載の点吊り装置制御構造。
【請求項９】
上記腕部は左右一対の腕板と、その腕板間に回動可能に軸支されたシーブとから構成され、本体内から導き出された上記吊りワイヤがこのシーブを介して上記舞台の床面側へ案内される請求項６記載の点吊り装置制御構造。
【発明の詳細な説明】
【技術分野】
【０００１】
本発明は、劇場やホール、アリーナ等の舞台天井に設置される移動式の点吊り装置と、この点吊り装置に電力や制御信号を供給する制御装置とを備えた点吊り装置制御構造に関するものである。
【背景技術】
【０００２】
劇場やホール、アリーナ等の舞台天井には、フックにマイクや照明器具等の吊り物を吊り下げ、そのフックを昇降させることで上記吊り物の昇降位置を調整する点吊り装置が配置されている。
【０００３】
この点吊り装置は、公演種目に応じて吊り物の吊り下げ位置や、昇降位置を変更する必要があり、そのための機構を備えたものとしては、特許文献１に示すものを例示することができる。
【０００４】
この点吊り装置は、天井の下方にレールを架設し、このレールに走行ブロックを移動自在に設けると共に、この走行ブロックに回動自在に設けられた滑車にワイヤを巻き掛け、このワイヤを天井上面に設けたモータで巻き取り又は繰り出しすることで、上記ワイヤに設けたフックを昇降可能としている。
【０００５】
この構成によれば、フックに吊り物を吊らない状態で、手動により上記走行ブロックを任意の吊り下げ位置に移動可能とすると共に、上記モータによるワイヤの巻き取り又は繰り出しによって、フックに吊り下げた上記吊り物の昇降位置を調整できる。
【特許文献１】特開２００３‐１９３７０号公報（図１〜図４参照）
【発明の開示】
【発明が解決しようとする課題】
【０００６】
上記特許文献１に示す点吊り装置は、天井の下方にレールを架設するので、天井上面はモータのみとなって人の歩行を可能とする等、有効に利用できる反面、以下に示す問題点がある。
【０００７】
即ち、吊り下げ位置の変更はレールに沿ってのみ可能となるため、任意の吊り下げ位置への変更を可能とするには、上記レールを長く設定しておく必要があり、その分、装置全体が大掛かりなものとなってコストが嵩む。
【０００８】
又、この点吊り装置は、天井の上方にモータを設け、下方にレールを設けているので、上記天井を挟んだ上下部に構成部材（例えば、モータへ電力や制御信号を送信するケーブル等）が点在して配置されることになり、装置全体としては大型化し、やはりコストが嵩む。
【０００９】
そこで、本発明の目的は、コンパクト化して安価に製造可能な点吊り装置と、その点吊り装置への電力や制御信号の供給が容易にできる制御装置とを備えた点吊り装置制御構造を提供することである。
【課題を解決するための手段】
【００１０】
上記の目的を達成するため、本発明は、舞台天井上面の任意の位置へ移動可能とした点吊り装置と、この点吊り装置に対して電力及び制御信号の供給を行なう制御装置とから構成された点吊り装置制御構造であって、上記点吊り装置は、吊りワイヤが巻き回された巻取りドラムと、この巻取りドラムを駆動させる電動モータとを備える一方、上記制御装置は、舞台天井上方に配置した長尺状の案内部材と、この案内部材に沿って移動可能に連結されると共に、上記点吊り装置への電力及び制御信号を供給する制御ケーブルを備えるか又は接続可能とした複数の制御部材と、隣り合った制御部材に接続されてこれら制御部材へ電力を供給する給電ケーブルとを備えたことを特徴とするものである。
【発明の効果】
【００１１】
本発明の点吊り装置制御構造は、任意の位置に配置された点吊り装置に対し、案内部材に連結された複数の制御部材の中から最も近接可能な制御部材を選択すると共に、この制御部材を案内部材に沿って移動させることで、上記制御部材を点吊り装置に最も近接した位置に移動させる。その後、この距離に適した必要最小限の長さの制御ケーブルで両者を接続する。
【００１２】
この状態で、点吊り装置へ電力と、モータ制御信号を供給することで、電動モータを駆動させ、巻取りドラムに巻回された吊りワイヤの舞台床面側への繰り出し又は巻き取り制御を行い、例えば、その先端のフックに吊り下げた吊り物の昇降位置を調整する。
【００１３】
このとき、点吊り装置と制御部材とは常に必要最小限の制御ケーブルで接続することができるので、舞台天井上面で制御ケーブルがかさばるのを防止して舞台天井上面を有効利用することができる。
【００１４】
又、点吊り装置を移動可能とすると共に、その本体側に吊りワイヤを巻き回する巻取りドラムや、この巻取りドラムを駆動させる電動モータを設けたので、従来例で示した装置に比較して装置全体をコンパクトにできる。
【発明を実施するための最良の形態】
【００１５】
以下に、本発明を劇場の舞台天井に設置される点吊り装置制御構造に具体化した一実施の形態を図に基づいて説明する。
【００１６】
先ず、この点吊り装置制御構造の概略を説明すると、図２に示すように、舞台天井としてのグレーチングタイプの簀の子３上面に移動可能に配置された複数（図２には４台のみ図示）の点吊り装置１と、この点吊り装置１に対して電力及び制御信号の供給を行なう制御装置４０とから構成されており、公演種目に応じた吊り物の吊り下げ位置に上記点吊り装置１が配置されている。
【００１７】
以下、上記点吊り装置１と、制御装置４０とについてそれぞれ詳細に説明すると、先ず、上記点吊り装置１は、図１に示すように、簀の子３上面を走行する走行部材を底部に備えた箱状の本体４と、この本体４内に配置された巻取りドラム５と、上記本体４に対して基端部が回動可能に軸支された腕部６とを備えており、上記巻取りドラム５に巻き回された吊りワイヤ８が上記腕部６を介して舞台床面側Ｓへ繰り出され又は巻き取られるようになっている。
【００１８】
上記本体４の上面には上記巻取りドラム５を駆動させるためのブレーキ付き電動モータ９が取り付けられており、この本体４とは別に設けられた図示しない制御コントローラからの制御信号としてのモータ制御信号によって上記ブレーキ付き電動モータ９を駆動させ、巻取りドラム５に巻回された吊りワイヤ８の繰り出し又は巻き取りを行なうようになっている。
【００１９】
尚、上記本体４には、図示はしないが、上記ブレーキ付き電動モータ９に電力と、上記モータ制御信号を供給するための制御ケーブル（詳細は後述する）が接続可能となっている。
【００２０】
上記本体４の前面（図１における右側面を言う）には上下一対の支持板１１ａ、１１ｂが突設されており、この支持板１１ａ、１１ｂ間には上記腕部６の回動中心となる軸部１２が回動可能に軸支されている。
【００２１】
上記軸部１２に基端が固定されている腕部６は、左右一対の腕板６ａと、その腕板６ａ間に回動可能に軸支されたシーブ１３とから構成されており、本体４内から導き出された吊りワイヤ８がこのシーブ１３を介して上記舞台の床面側Ｓへ案内されるようになっている。
【００２２】
又、上記シーブ１３よりも基端側となる腕板６ａ間には係止部材が回動可能に軸支されている。
【００２３】
この係止部材は、基端が上記腕板６ａ間に軸支された係止棒１４と、この係止棒１４に螺合されたナット１５とから構成されており、この係止棒１４を起立方向（図２の矢印で示す）へ回動させて上記上側の支持板１１ａに設けられたフランジ部１６に形成の２個の係止凹部１１ｃのいずれかに嵌め込み、上記ナット１５を締め込むことで上記腕部６を、本体４に対して図３に示す使用位置と、図４に示す収納位置の二位置に選択して位置決め固定するようになっている。
【００２４】
上記腕部６の先端には、前側固定部材としてのねじジャッキ１７が設けられている。
【００２５】
このねじジャッキ１７は、上記腕部６先端に溶接等により固定された取付部１８と、この取付部１８に螺合された棒状のねじ部１９と、このねじ部１９上端に取り付けられたハンドル２０と、同じくねじ部１９下端に取り付けられた固定板２１とから構成されている。
【００２６】
従って、上記ハンドル２０を回動させて腕部６に対してねじ部１９を下降させ、このねじ部１９下端の固定板２１を簀の子３上面に圧接させることで、吊りワイヤ８の繰り出し又は巻き取り時に本体４が腕部６側へ倒れるのを防止すると共に、後述する後部固定部材と相俟って点吊り装置１自体を位置決め固定するようになっている。
【００２７】
上記走行部材は、キャスター２３であって、本体４の底部に所定間隔をおいて設けられており、本実施の形態では両側面側夫々３個、前面中央と後面中央に夫々１個の合計８個設けられている。
【００２８】
又、上記キャスター２３は、図５に示すように、その車輪２３ａの巾Ｈが簀の子３の溝巾ｈよりも大きく設定されており、点吊り装置１移動時に簀の子３の溝に車輪２３ａがはまり込まないようになっている。
【００２９】
上記本体４の上面前部と、後面（図１における左側を言う）上部にはそれぞれ前側ハンドル２４及び後側ハンドル２５が設けられており、これらのハンドル２４，２５を握って点吊り装置１を容易に移動できるようになっている。
【００３０】
上記本体４の後面下部には、後側固定部材としてのクランプ２６が設けられている。
【００３１】
このクランプ２６は、図１に示すように、操作レバー２７の操作によって下端の係止部２８が上記簀の子３の下面（舞台側面を言う）３ａに係止され、上記吊りワイヤ８の繰り出し又は巻き取り時に本体４が上方に浮き上がるのを防止すると共に、上記ねじジャッキ１７の作用と相俟って点吊り装置１自体を位置決め固定するようになっている。
【００３２】
上記制御装置４０は、図１に示すように、簀の子３上方に配置した長尺状の案内部材と、この案内部材に沿って移動可能に連結されると共に、上記点吊り装置１への電力及び制御信号を供給する制御ケーブル４２を接続可能とした複数の制御部材４３と、隣り合った制御部材４３に接続されてこれら制御部材４３へ電力を供給する給電ケーブル４４とを備えている。
【００３３】
上記案内部材は、簀の子３上方の建物天井から吊り下げ支持されたレール部材４１であって、簀の子３上面に近接配置されると共に、図２に示すように、両壁面と近接した位置に２本平行に配置されている。
【００３４】
上記レール部材４１には上記制御部材４３がその上面に設けられた第１案内ローラ４５を介して移動可能に吊り下げ支持されている。
【００３５】
上記制御部材４３は、箱状に形成されると共に、その正面には、上記点吊り装置１の巻取りドラム５に巻き回された吊りワイヤ８の舞台床面側Ｓへの繰り出し又は巻き取りを制御するために上記ブレーキ付き電動モータ９にモータ制御信号を出力する上記制御コントローラの接続口４６が設けられている。
【００３６】
上記接続口４６の上部には上記給電ケーブル４４からの電力及び上記制御コントローラからのモータ制御信号の点吊り装置１への投入又は遮断を行なう回動式のスイッチ４７と、その投入状態を示す表示灯４８が設けられており、このスイッチ４７を図１の矢印方向へ回動させて上記投入動作を行なうと、上記表示灯４８が点灯するようになっている。
【００３７】
又、制御部材４３の下面中央部には点吊り装置１のブレーキ付き電動モータ９を駆動させるための電力と、上記制御コントローラからのモータ制御信号とを上記点吊り装置１に供給するための上記制御ケーブル４２が接続されている。
【００３８】
従って、点吊り装置１に対して、上記レール部材１に吊り下げ支持された複数の制御部材４３から最も近接可能な制御部材４３を選択すると共に、この制御部材４３を上記レール部材４１に沿って移動させることで、この点吊り装置１に最も近接した位置に制御部材４３を移動させ、次いで、この制御部材４３と、上記点吊り装置１とをその距離に適した必要最小限の長さの上記制御ケーブル４２で接続することで、簀の子３上面で制御ケーブル４２がかさばるのを防止し、簀の子３上面の有効利用を可能とするようになっている。
【００３９】
又、上記点吊り装置１は、この制御部材４３からの電力及びモータ制御信号によって巻取りドラム５を駆動させる上記ブレーキ付き電動モータ９が制御され、この巻取りドラム５に巻回された吊りワイヤ８の舞台床面側Ｓへの繰り出し又は巻き取りがなされるようになっている。
【００４０】
上記制御部材４３の下面両側部には上記給電ケーブル４４が接続されると共に、その中間部に取付けられた第２案内ローラ４９によって、中央部で折り曲げられた状態で上記レール部材４１に移動可能に連結されている。
【００４１】
従って、給電ケーブル４４が制御部材４３の下方に垂れ下がるのを防止できると共に、コンパクトに折り曲げられたこの給電ケーブル４４が延び縮みする範囲において、隣り合った制御部材４３の間隔を任意に変更できるようになっている。
【００４２】
尚、図２に示すように、上記給電ケーブル４４はレール部材４１の端部において建物側に設けられた主電源部５１に接続されており、この主電源部５１から上記複数の制御部材４３に電力が供給されるようになっている。
【００４３】
以上のように構成された点吊り装置制御構造の作用を説明すると、先ず、上記腕部６が図４に示す収納位置となった不使用状態の点吊り装置１を、上記本体４の上面前部と後面上部に設けられた前側ハンドル２４及び後側ハンドル２５のいずれか又は両方を握って手動操作により図２に示す所定の吊り下げ位置へ移動させる。
【００４４】
その後、上記ナット１５を緩めて係止棒１４を倒すように回動させることで、一方の上記係止凹部１１から係止棒を外す。
【００４５】
次いで、上記腕部６を図２に示す使用位置に回動させ、再度、上記係止棒１４を起立方向へ回動させて他方の係止凹部１１ｃへ嵌め込み、ナット１５を締め込むことで、上記腕部６を、図３に示す使用位置に位置決め固定する。
【００４６】
この状態で、上記ねじジャッキ１７のハンドル２０を回動させ、腕部６からねじ部１９を下降させ、このねじ部１９下端の固定板２１を簀の子３上面に圧接させることで、吊りワイヤ８の繰り出し又は巻き取り時に本体４が腕部６側へ倒れるのを防止すると共に、点吊り装置１自体を位置決め固定する。
【００４７】
又、同時に、上記クランプ２６の操作レバー２７を操作することで、下端の係止部２８が上記簀の子３の下面に係止され、上記本体４が上方に浮き上がるのを防止すると共に、上記ねじジャッキ１７の作用と相俟って点吊り装置１自体を位置決め固定する。
【００４８】
この状態の点吊り装置１に対し、上記レール部材４１に吊り下げ支持された複数の制御部材４３の中から最も近接可能な制御部材４３を選択すると共に、この制御部材４３をレール部材４１に沿って移動させることで、上記制御部材４３を点吊り装置１に最も近接した位置に移動させる。その後、図１、２に示すように、この距離に適した必要最小限の長さの制御ケーブルを使用して両者を接続する。
【００４９】
次いで、この制御部材４３の上記接続口４６に図示しない制御コントローラを接続すると共に、上記スイッチ４７を図１の矢印方向へ回動させて上記表示灯４８が点灯する投入動作を行い、点吊り装置１へ電力と、モータ制御信号とを供給可能状態とする。
【００５０】
その後、上記制御コントローラを使用して上記ブレーキ付き電動モータ９を駆動させ、巻取りドラム５に巻回された吊りワイヤ８を舞台の床面側Ｓへの繰り出し、先端のフック３０に図示しない吊り物を吊り下げ、このフック３０を昇降させることで、上記吊り物の昇降位置を調整する。
【００５１】
このとき、点吊り装置１をその本体４の底部にキャスター２３を設けて単独で移動可能とすると共に、本体４側に吊りワイヤ８を巻き回する巻取りドラム５や、この巻取りドラム５を駆動させるブレーキ付きモータ９を設けたので、従来例で示した装置に比較し、装置全体をコンパクトにできる。
【００５２】
従って、点吊り装置１自体を安価に製造可能とすると共に、手動操作によって単独で簡単に任意の吊り下げ位置へ移動できるので、使い勝手も非常に良い。
【００５３】
又、上記本体４に対して腕部６をその基端部で回動可能に軸支することで、上記腕部６を図４に示す収納位置に折り畳むことができるので、不使用状態ではコンパクトにして収納することができる、
又、上記本体４側に巻取りドラム５を駆動させるブレーキ付きモータ９を設けたので、本体４からは外部電源に接続する電源コードを出すだけで良く、装置全体としてコンパクトなものとすることができる。
【００５４】
又、上記ブレーキ付きモータ９を本体４の上面に露出するように設けたので、モータ部分のメンテナンスを容易に行なうことができる。
【００５５】
又、上記本体４の上面前部と、後面上部にそれぞれ前側ハンドル２４及び後側ハンドル２５を設けたので、点吊り装置１を前後に移動させる際、どちら側からも容易にハンドル２４、２５を握って操作でき、大変、使い勝手が良い。
【００５６】
又、上記制御部材４３を複数設けてレール部材４１に移動可能に吊り下げ支持したので、点吊り装置１と制御部材４３とは常に必要最小限の制御ケーブル４２で接続することができ、簀の子３上面で制御ケーブル４２がかさばるのを防止して簀の子３上面を有効利用することができる。
【００５７】
又、制御部材４３に上記制御コントローラの接続口４６を設けることで、上記吊りワイヤ８の舞台床面側Ｓへの繰り出し又は巻き取り制御を、点吊り装置１が配置された簀の子３上面で直接確認しながら行うことができるので、作業性を向上させることができる。
【００５８】
又、レール部材４１に吊り下げ支持される制御部材４３の個数や、点吊り装置１を増加させることで、吊り物の種類や個数に応じた対応が容易にできる。
【００５９】
尚、本発明は、上記実施の形態に限定されるものではなく、例えば、以下のように変更して具体化することも可能である。
【００６０】
１）本実施の形態では、係止部材としての係止棒１４が嵌め込まれる係止凹部１１ｃを使用位置用と、収納位置用の２個設けたが、これに限定されるものではなく、複数個設けることで、本体４に対する腕部６の角度を任意に変更した状態で、吊りワイヤ８の舞台の床面側Ｓへ繰り出し又は巻き取り操作を行うようにしても良い。
【００６１】
２）本実施の形態では、走行部材としてキャスター２３を使用したが、これに限定されるものではなく、キャスター２３以外のもの、例えば、クローラ等を用いても良く、更には、電動等で駆動する駆動手段を備えた走行部材としても良い。
【００６２】
３）本実施の形態では、腕部６の先端に前側固定部材としてのねじジャッキ１７を設けたが、これに限定されるものではなく、本体４側に直接設けても良く、又、固定部材の構造も、本実施の形態で示したねじジャッキ１７に限定されるものではなく、他の任意の構造を採用することができる。
【００６３】
４）本実施の形態では、本体４の上面に上記巻取りドラム５を駆動させるためのブレーキ付き電動モータ９を取り付けたが、これに限定されるものではなく、本体４内に設けても良い。
【００６４】
５）本実施の形態では、点吊り装置１として、上記本体４に対して基端部を回動可能に軸支した腕部６や、キャスター２３を備えたものを示したが、これに限定されるものではなく、上記腕部６やキャスター２３を備えていない点吊り装置１を使用しても良い。
【００６５】
６）本実施の形態では、上記制御ケーブル４２を制御部材４３へ接続可能な別体としたが、これに限定されるものではなく、制御ケーブル４２をリール状に巻回して制御部材４３内に内蔵するようにしても良く、こうすれば、点吊り装置１との距離に応じた分だけ制御ケーブル４２を引き出せば良いので、簀の子３上面で制御ケーブル４２がかさばることを確実に防止することができる。
【００６６】
７）本実施の形態では、制御部材４３に上記制御コントローラの接続口４６を設けることで、吊りワイヤ８の舞台床面側Ｓへの繰り出し又は巻き取り制御を、点吊り装置１が配置された簀の子３上面で直接確認しながら行うようにしたが、これに限定されるものではなく、制御コントローラのモータ制御信号を無線で制御部材４３に送り、このモータ制御信号を上記制御ケーブル４２を介して点吊り装置１に送るようにしても良く、こうすれば、上記吊りワイヤ８の舞台床面側Ｓへの繰り出し又は巻き取り制御を遠隔操作することができる。
【００６７】
８）本実施の形態では、上記案内部材としてのレール部材４１を両壁面と近接した位置に２本平行して配置したが、これに限定されるものではなく、舞台天井が正方形や円形の場合には、上記レール部材４１を円状や、円弧状に設けても良く、又、レール部材４１の形状や、このレール部材４１に沿って移動可能とする構造も任意のものを選択することができる。
【図面の簡単な説明】
【００６８】
【図１】本発明の点吊り装置制御構造の一実施の形態を示す一部破断側面図である。
【図２】図１の点吊り装置制御構造の概略を示す平面図である。
【図３】図１の点吊り装置を示す平面図である。
【図４】図３の点吊り装置の不使用状態を示す平面図である。
【図５】図３の点吊り装置を示す一部破断正面図である。
【符号の説明】
【００６９】
１  点吊り装置
３  簀の子（舞台天井）
５  巻取りドラム
６  腕部
６ａ  腕板
８  吊りワイヤ
９  ブレーキ付きモータ（駆動手段）
１１ａ  係止凹部
１３  シーブ
１４  係止棒（係止部材）
１５  ナット（係止部材）
１７  ねじジャッキ（前側固定部材）
２３  キャスター
２３ａ  車輪
２４  前側ハンドル
２５  後側ハンドル
２６  クランプ（後側固定部材）
４０  制御装置
４１  レール部材（案内部材）
４２  制御ケーブル
４３  制御部材
４４  給電ケーブル
４６  接続口
４７  スイッチ
ｈ   簀の子の巾
Ｈ  車輪の巾
Ｓ  舞台床面側
【図１】
2008206906.tif 000003
【図２】
2008206906.tif 000004
【図３】
2008206906.tif 000005
【図４】
2008206906.tif 000006
【図５】
2008206906.tif 000007